(57)【要約】【課題】止水栓の操作部が容易に操作され難い止水栓装置及びこれを用いた給水設備を提供することを課題とする。【解決手段】止水栓２を備える。止水栓２に着脱自在に取り付けられて止水栓２の操作部を覆うロックキャップ４を備える。ロックキャップ４は、止水栓２から取り外すことができないロック状態において外部から磁力が与えられることで止水栓２から取り外し可能なアンロック状態に切り替え可能なものである。【選択図】        図１
2010053889.tif 000002
【特許請求の範囲】
【請求項１】
止水栓と、止水栓に着脱自在に取り付けられて止水栓の操作部を覆うロックキャップを備え、ロックキャップは、止水栓から取り外すことができないロック状態において外部から磁力が与えられることで止水栓から取り外し可能なアンロック状態に切り替え可能なものであることを特徴とする止水栓装置。
【請求項２】
上記ロックキャップは、所定の範囲で移動可能な可動体を備えると共に、該可動体がその移動範囲における所定位置に配置されたときにのみ、上記磁力によるロック状態からアンロック状態への切り替えが可能なものであることを特徴とする請求項１に記載の止水栓装置。
【請求項３】
上記ロックキャップは、止水栓が閉じた状態にあるときに、前記ロック状態で止水栓に取り付け可能なものであることを特徴とする請求項１又は請求項２に記載の止水栓装置。
【請求項４】
上記止水栓は逆止弁を備えていることを特徴とする請求項１乃至３のいずれか１項に記載の止水栓装置。
【請求項５】
上記止水栓は二種以上の配管接続用のアダプターを接続可能なアダプター接続口部を備えていることを特徴とする請求項１乃至４のいずれか１項に記載の止水栓装置。
【請求項６】
上記請求項１乃至５のいずれか１項に記載の止水栓装置を用いた給水設備であって、量水器の上流側に上記止水栓を設けたことを特徴とする給水設備。
【発明の詳細な説明】
【技術分野】
【０００１】
本発明は利用者の水道利用を制限等するために止水栓の操作部を操作不能とできる止水栓装置及びこれを用いた給水設備に関する。
【背景技術】
【０００２】
従来の居住施設や商用施設においては、水道事業者が水道料金を徴収するためのシステムとして図１１に示す給水設備が利用されている。
【０００３】
この給水設備は、量水器３７の上流側に止水栓２を設けてあり、該止水栓２を水道事業者が閉じた状態でロックすることにより、利用者の水道利用を制限できるようになっている。
【０００４】
図示例の止水栓２は、水道事業者により網状のボックス７０に収納され、該ボックス７０を南京錠７１により施錠することで、利用者を含む水道事業者以外の者が操作できないようにする。
【０００５】
ところで、上記給水設備にあっては、止水栓２の全体を大型のボックス７０に収納したうえで、このボックス７０とは別部材の南京錠７１によりボックス７０を施錠する必要があり、さらにこの南京錠７１を開錠するための鍵も必要である等、部材点数が多く、コストがかかり、大掛かりである。また、ボックス７０が大型であるので、人がぶつかる恐れもある。
【０００６】
また、従来、止水栓が誤操作等されることを防止するための技術として、例えば特許文献１に示す止水栓装置が知られている。該止水栓装置は、ストッパネジを螺着した止水栓にキャップを被せ、この後、キャップの操作用透孔にドライバーを差し込んでストッパネジを操作し、ストッパネジをキャップに係止してキャップの抜け止めを行う。これにより止水栓の操作部は操作不能となる。
【０００７】
上記キャップは、操作用透孔がストッパネジに対応する位置からずれた位置に配置されるように回動することにより、ストッパネジを覆う。従って、キャップの取り外しの際は、操作用透孔がストッパネジの対応する位置に位置するようキャップを回動し、操作用透孔を介してストッパネジを外部に露出させる。
【０００８】
ところで、上記特許文献１に示す止水栓装置は、一般的に広く利用されているドライバーを用いてキャップの取り外しを行うものであるので、キャップは簡単に取り外すことができ、止水栓が他者に簡単に操作されやすいという問題がある。また、上記ストッパネジを操作するための操作用透孔が外部に露出することは避けられず、このため、キャップは止水栓に取り付けらたものであることが容易に認識され、この点でもキャップは取り外されやすい。
【特許文献１】特開２００１−５１３１７８号公報
【発明の開示】
【発明が解決しようとする課題】
【０００９】
本発明は上記従来の問題点に鑑みてなされたものであって、止水栓の操作部が容易に操作され難い止水栓装置及びこれを用いた給水設備を提供することを課題とする。
【課題を解決するための手段】
【００１０】
上記課題を解決するために本発明の請求項１に係る止水栓装置は、止水栓２と、止水栓２に着脱自在に取り付けられて止水栓２の操作部を覆うロックキャップ４を備え、ロックキャップ４は、止水栓２から取り外すことができないロック状態において外部から磁力が与えられることで止水栓２から取り外し可能なアンロック状態に切り替え可能なものであることを特徴とする。このように、ロックキャップ４は、ロック状態において外部から磁力が与えられることでアンロック状態に切り替え可能なものであるので、ロックキャップは従来のドライバーを用いて取り外すことができるキャップと比較して取り外され難い。しかも、ロックキャップ４の外部に、取り外しにあたってロックキャップ４を操作するための部位が露出しないようにできる。このため、ロックキャップ４は止水栓２に取り付けられているものであることが認識され難く、この点でもロックキャップ４は止水栓２から取り外され難い。
【００１１】
また、本発明の請求項２に係る止水栓装置は、請求項１において、上記ロックキャップ４は、所定の範囲で移動可能な可動体を備えると共に、該可動体がその移動範囲における所定位置に配置されたときにのみ、上記磁力によるロック状態からアンロック状態への切り替えが可能なものであることを特徴とする。このように可動体がその移動範囲における所定位置に配置されたときにのみ、アンロック状態への切り替えが可能なものであるので、ロックキャップ４を一層取り外され難いものとすることができる。
【００１２】
また、本発明の請求項３に係る止水栓装置は、請求項１又は請求項２において、上記ロックキャップ４は、止水栓２が閉じた状態にあるときに、前記ロック状態で止水栓２に取り付け可能なものであることを特徴とする。これにより、止水栓２が閉じた状態にあるときに、ロックキャップ４を取り付けて、止水栓２が閉じた状態を維持することができる。このため、給水設備において、量水器３７の上流側に止水栓２を配設することにより、利用者の水道利用を制限できる。
【００１３】
また、本発明の請求項４に係る止水栓装置は、請求項１乃至３のいずれか１項において、上記止水栓２は逆止弁を備えていることを特徴とする。この逆止弁を有する止水栓２を給水設備に用いることで、給水設備の部品点数を少なくし、コストを削減できる。
【００１４】
また、本発明の請求項５に係る止水栓装置は、請求項１乃至４のいずれか１項において、上記止水栓２は二種以上の配管接続用のアダプター１６ａ、１６ｂを接続可能なアダプター接続口部を備えていることを特徴とする。このようなアダプター接続口部を備えた止水栓を給水設備に用いることで、給水設備の部品点数を少なくし、コストを削減できる。
【００１５】
また、本発明の請求項６に係る給水設備は、上記請求項１乃至５のいずれか１項に記載の止水栓装置１を用いた給水設備であって、量水器３７の上流側に上記止水栓２を設けたことを特徴とする。この給水設備にあっては、上記止水栓装置１を用いて利用者の水道利用を制限することができる。
【発明の効果】
【００１６】
本発明にあっては、ロックキャップが容易に取り外され難い止水栓装置及びこれを用いた給水設備を提供することができる。
【発明を実施するための最良の形態】
【００１７】
以下、本発明の実施形態の一例を添付図面に基づいて説明する。
【００１８】
本例の止水栓装置１は、止水栓２と、止水栓２に着脱自在に取り付けられて止水栓２の操作部を覆うロックキャップ４と、該ロックキャップ４を止水栓２から取り外すための解除具５とで構成される。
【００１９】
止水栓２は、例えば後述の給水設備における通水路６２を遮断するために利用されるものであり、図３に示すように、止水栓本体７と、止水栓本体７内の流水路６を開閉する弁体８と、弁体８を操作するための操作部を構成するスピンドル２８を備えている。
【００２０】
止水栓本体７はエルボ管継手の機能を有し、内部に直角に曲がった流水路６が形成されたボディ１２と、ボディ１２の開口部１４に取付けられるボンネット１３で構成されている。
【００２１】
ボディ１２の下端部には、流水路６の一端部を構成する流入口部１０が形成され、また、ボディ１２の一側端部には、流水路６の他端部を構成する流出口部１１が形成されている。
【００２２】
開口部１４はボディ１２の上端部に形成され、流水路６のコーナー部に連通している。開口部１４の内面には雌螺子が形成され、該開口部１４にボンネット１３の下端部をねじ込むことで、ボンネット１３はボディ１２に取り付けられ、開口部１４は閉塞される。
【００２３】
ボディ１２の流入口部１０は、二種以上の配管接続用のアダプターを接続可能なアダプター接続口部となっている。具体的には、流入口部１０には、図５（ａ）に示す亜鉛メッキされた鉄パイプからなる配管１７ａを接続可能なアダプター１６ａと、図５（ｂ）に示す樹脂パイプからなる配管１７ｂを接続可能なアダプター１６ｂとの２種類のアダプター１６ａ、１６ｂのうち、いずれかを選択的に取り付けることが可能となっている。
【００２４】
流入口部１０は、下部に形成された螺子孔部１８と、上部に形成された螺子孔部１８よりも小径の配管嵌込穴１９とで構成される。螺子孔部１８と配管嵌込穴１９の間には段差２４が形成されている。
【００２５】
流入口部１０に配管１７ａを接続する場合、図５（ａ）に示すように外周面に雄螺子が形成され且つ内周面に雌螺子が形成された筒状のアダプター１６ａ内に配管１７ａの端部をねじこむと共に、該アダプター１６ａを螺子孔部１８にねじ込む。このとき、ボディ１２の段差２４とアダプター１６ａの上端面とでパッキン２１が挟み込まれ、アダプター１６ａと流入口部１０の接続部分が水密される。
【００２６】
流入口部１０に配管１７ｂを接続する場合、図５（ｂ）に示すように外周面に雄螺子が形成された筒状のアダプター１６ｂに挿通した配管１７ｂの端部を配管嵌込穴１９に嵌め込み、アダプター１６ｂを螺子孔部１８にねじこむことで、ワッシャ２２を介して配管１７ｂを締めつける。このとき、ワッシャ２２にて金属製のリング２３とボディ１２の段差２４とでＯリング２５が挟み込まれ、アダプター１６ｂと流入口部１０の接続部分が水密される。なお、本実施形態の流入口部１０は２種類のアダプター１６ａ、１６ｂを接続可能なものであるが、３種以上のアダプターを接続できるものであっても良いものとする。
【００２７】
また、流出口部１１の内周面には後述の量水器３７との連結具となるニップル３８の一端を直接接続可能な雌ねじが形成されている。
【００２８】
スピンドル２８はボンネット１３に形成された螺子孔２７に螺合することにより取り付けられ、ボンネット１３を上下に貫通している。
【００２９】
スピンドル２８のボンネット１３から上方に突出する上部には、スピンドル２８を回動するためのハンドル３１が着脱自在に取り付けられる。
【００３０】
ハンドル３１の中心部には孔部３２が形成されている。孔部３２にはスピンドル２８上部に形成された嵌込部３３が嵌め込まれ、これによりハンドル３１はスピンドル２８に対して回動不能で且つ下方に移動不能となる。スピンドル２８の上端部には外周面に雄螺子が形成された螺合部３５が形成されている。螺合部３５に螺合されたナット３６により、嵌込部３３に嵌め込まれたハンドル３１が下方に押さえられ、この状態がスピンドル２８にハンドル３１を取付けた状態である。
【００３１】
スピンドル２８の螺子孔２７に対するねじ込み量は、上記ハンドル３１を回動することで調節でき、これによりスピンドル２８は上下に移動される。
【００３２】
スピンドル２８には下端面から上方に向かってピン孔２９が穿設されている。ピン孔２９には上下方向にスライド自在にスライドピン３０が挿入されている。スピンドル２８よりも下方に突出するスライドピン３０の下端部には弁体８が固定的に設けられている。
【００３３】
止水栓本体７の配管嵌込穴１９の上底部１９ａには、下流側に連通する連通孔２０が形成されており、該連通孔２０の周縁部で弁座２６が構成されている。
【００３４】
図４は止水栓２を流水可能な開いた状態としたものであり、この状態から止水栓２を閉じる場合、ハンドル３１を右回りに回動操作することにより、図３に示すようにスピンドル２８を螺子孔２７にねじ込んで下方に移動させる。これにより、弁体８はスピンドル２８にて下方に押圧され、弁座２６に押し付けられて連通孔２０を塞ぐ。
【００３５】
上記止水栓２を閉じた状態から開いた状態にする場合、ハンドル３１を左回りに回動操作することにより、図４に示すようにスピンドル２８の螺合を緩めて上方に移動させる。これにより、スライドピン３０は、弁体８が図４中実線で示す弁座２６に当接する位置から、図４中破線で示すスピンドル２８の下端面に当接する位置までの範囲内で、スライド自在となる。
【００３６】
図４に示す状態において、上流側から止水栓本体７に水が流入すると、弁体８には上流側からの水圧が加わる。これにより、スライドピン３０はピン孔２９内を上方にスライド移動して弁体８が弁座２６から離間し、連通孔２０が開放される。
【００３７】
また、上記弁体８は逆止弁を兼用する。つまり、止水栓２の流水路６に水が逆流する場合には、弁体８には上流側からの水圧が加わらない。このため、スライドピン３０は下方にスライド移動し、弁体８が弁座２６に当接して連通孔２０を閉塞することとなる。
【００３８】
図３に示すように、ボンネット１３の上部は後述のロックキャップ４が取り付けられる取付部３９となる。該取付部３９には、左右に長いフランジ部４０と、フランジ部４０の下方部から左右両外側に向けて突出する突片部４１が形成されている。
【００３９】
また、止水栓２を構成する、ボディ１２、ボンネット１３、及び、前述のアダプター１６ａ、１６ｂにはワイヤ通し用孔３４を形成してあり、ワイヤ通し用孔３４に通した図示しないワイヤにより、ボディ１２とボンネット１３、ボディ１２とアダプター１６ａ、ボディ１２とアダプター１６ｂを接続し、これら部材を回動して連結が解除されることを防止できるようになっている。
【００４０】
上記止水栓２を用いた給水設備の一例を以下に示す。
【００４１】
図２に示す給水設備は水道事業者が水道料金を徴収するためのシステムを構成するものであり、家屋に水を供給する通水路６２の途中に量水器３７と該量水器３７の上流側に位置する止水栓２が設けられている。
【００４２】
止水栓２の流入口部１０には、上流側縦配管を構成する配管１７ａ又は１７ｂの上端部がアダプター１６ａ又は１６ｂを介して接続されている。止水栓２の流出口部１１にはニップル３８を介して量水器３７の一次側が接続されている。量水器３７の二次側にはニップル６４及びエルボ管継手６５を順に介して下流流側縦配管６６の上端部が接続されている。
【００４３】
上記図２に示す給水設備にあっては、水道事業者が量水器３７にて家屋に対する給水量を計測でき、水道料金を徴収することができる。また、本例の止水栓２は、エルボ管継手の機能を有すると共に逆止弁を兼用する弁体８を有し、また、流出口部１１はニップル３８を介して直接量水器３７に接続でき、また、流入口部１０はアダプター１６ａ又は１６ｂを介して任意の上流側縦配管に直接接続できる。このため、図１１に示す従来の給水設備と比較して、部材点数を削減でき、また、コストを削減できる。
【００４４】
また、水道事業者は、止水栓２を閉じ、この止水栓２に以下のロックキャップ４を取り付けることにより、止水栓２のスピンドル２８を操作不能とし、利用者の水道利用を制限できるようになっている。
【００４５】
ロックキャップ４は、図１に示すように、止水栓２が閉じた状態にあり且つスピンドル２８からハンドル３１が取り外された状態にあるときにのみ、止水栓２の取付部３９に取り外すことができないロック状態で取り付けられるものであり、これにより取付部３９から上方に突出したスピンドル２８が覆われて止水栓２が操作できない状態となる。
【００４６】
図６、図７、図１０等に示すように、ロックキャップ４の主要部は、下方に開口するキャップ体４３と、キャップ体４３内に収納される収納体４４とで構成される。
【００４７】
キャップ体４３は収納体４４に対して上下方向にのみ移動可能に設けられており、止水栓２に固定される収納体４４に対して移動可能な可動体となる。キャップ体４３の天井部と収納体４４の上端部との間には、収納体４４に対してキャップ体４３を上方に向けて付勢する第一ばね５５が介設されている。
【００４８】
キャップ体４３の周壁下部の左右には内方に向けて突出する棒状の突部５１が形成されている。各突部５１の突端面はフランジ部４０の前後幅と略同寸法の隙間４２を介して対向している。また、キャップ体４３の上面中央には、平面視非円形で上方に向けて突出する嵌合突起５３が形成されている。
【００４９】
キャップ体４３の上部の内面における周方向の所定箇所には、上下方向に長い係合溝５８が形成されている。キャップ体４３の係合溝５８の下方部により係止部６０が構成されている。係止部６０の内面と、係合溝５８の溝底面との間には、係合溝５８の下端面からなる段差面５９が形成されている。
【００５０】
収納体４４には下方に開口する凹部４５が形成されている。凹部４５は左右に長く、また前後幅はフランジ部４０の前後幅と略同じ寸法である。凹部４５の上方部の中央には、収納体４４を上下に貫通するスピンドル挿入孔４９が形成されている。
【００５１】
凹部４５の上底部の左右両端部には下方に開口する収納溝５０が形成され、各収納溝５０には図６に示すようにキャップ体４３の対応する突部５１が収納される。
【００５２】
図６に示す状態では、各突部５１が収納溝５０の上底面に当接し、キャップ体４３が収納体４４から上方に抜け出ることが防止され、この位置が上下移動するキャップ体４３の移動範囲の上限位置となる。また、キャップ体４３の下限位置は、図８（ａ）に示すようにキャップ体４３の天井部が収納体４４の上面に当接する位置である。
【００５３】
収納体４４の上部の周方向において係合溝５８に対応する箇所には、外側に向けて開口する収納穴５６が形成されている。収納穴５６にはブロック状の磁石からなる係合部材５７が収納体４４の内外方向（直径方向）にスライド自在に収納されている。係合部材５７は収納体４４の内側に位置する部分と外側に位置する部分とが異極となるよう着磁されている。図示例では内側をＮ極、外側をＳ極としている。
【００５４】
収納穴５６の奥部には係合部材５７を収納体４４の外側に向けて付勢する第二ばね６１が配設され、図６に示す状態においては、係合部材５７は第二ばね６１の付勢力を受けてその外側端面が係止部６０の内面に押し付けられる。また、この状態から、キャップ体４３が収納体４４に対して下方に移動し、図１に示すように係合部材５７が係合溝５８に対応する位置に配置されると、係合部材５７は第二ばね６１の付勢力により収納体４４の外側に移動し、該係合部材５７の外側端部が収納体４４の外周面から突出して係合溝５８内に収納される。なお、上記収納穴５６、係合部材５７、第二ばね６１、及び係合溝５８からなる組はロックキャップ４の周方向における１箇所にのみ設けても良いし、複数箇所に設けても良いものである。
【００５５】
収納体４４の凹部４５の上部前後には、凹部４５の内側に向かって開口する係止溝４６が形成されている。収納体４４の前部左側部分及び後部右側部分の夫々には、下方に向けて突出し且つ収納体４４の外周縁に沿った回動規制部４７が形成されている。
【００５６】
両回動規制部４７は収納体４４の中心を対称中心として点対称となる位置に配置されている。収納体４４の周方向に離間して設けた両回動規制部４７の間の空間は止水栓２の左右夫々の突片部４１を配置するための突片配置部４８となっている。図８（ｂ）に示すように止水栓２に被せた状態にあるロックキャップ４は、各突片配置部４８に配置された突片部４１の突端部が収納体４４の周方向において両側に位置する回動規制部４７のいずれかの端面に当接するまで回動可能となっている。
【００５７】
上記ロックキャップ４により、止水栓２のスピンドル２８を操作不能とするには、図９（ａ）〜（ｅ）に示すようにロックキャップ４を止水栓２の取付部３９に取り付ける。以下、手順に沿って説明する。
【００５８】
まず、止水栓２を閉じた状態とすると共に止水栓２からナット３６やハンドル３１を取り外す（図９（ａ）→図９（ｂ））。
【００５９】
次に、ロックキャップ４を、止水栓２の取付部３９に上方から被せる（図９（ｃ）→図９（ｄ））。なお、このロックキャップ４は、図６や図１０に示すように、キャップ体４３が上限位置に配置され、且つ、凹部４５の長手方向がフランジ部４０の長手方向と平行な左右方向とされている。
【００６０】
上記により止水栓２のスピンドル２８がスピンドル挿入孔４９に挿入されると共に、フランジ部４０が凹部４５に挿入され、且つ、止水栓２の左右の突片部４１が対応する突片配置部４８の周方向の端部に収納される。この状態では、各突片部４１は回動規制部４７の周方向の一端面に近接し、ロックキャップ４は平面視で右回りに回動可能ではあるが、左回りには回動不能となっている。
【００６１】
次に、上記ロックキャップ４を、各突片部４１が反対側の回動規制部４７の端面に近接するまで、平面視で右回りに９０度回動する（図９（ｄ））。これにより、止水栓２のフランジ部４０の左右両端部は、図８（ｂ）に示すように、対応する係止溝４６に挿入され上下方向に移動不能に係止される。また、両突部５１の間の隙間４２の下方にフランジ部４０の左右方向の中央部が位置する。
【００６２】
次に、上記ロックキャップ４のキャップ体４３を第一ばね５５に抗して下方に押し込む（図９（ｅ））。こうすると、図１に示すように、キャップ体４３は下限位置よりもやや上方のロック位置まで移動し、これに伴い係合部材５７が係合溝５８内に突出する。また、このとき、止水栓２のフランジ部４０の左右方向の中央部は両突部５１の間の隙間４２に挿入される。
【００６３】
なお、上記キャップ体４３の下方への移動時において止水栓２が開いている場合には、係合部材５７が係合溝５８に対応する位置にくるまでに、収納体４４よりも上方に突出したスピンドル２８の上端がキャップ体４３の天井部に当たり、キャップ体４３をそれ以上下方に移動できない状態となる。これにより、ロックキャップ４は止水栓２が閉じてあるときにのみ、止水栓２に対してロック状態で取り付けられるようになっている。
【００６４】
上記図１に示す状態においては、キャップ体４３は第一ばね５５により上方に付勢され、収納体４４に設けた係合部材５７の外側端部が係止部６０（段差面５９）に下方に移動不能に係止され、また、止水栓２のフランジ部４０が両突部５１に回動不能に係止される。従って、キャップ体４３は、収納体４４に対して上方に移動不能で且つ回動不能なロック状態となる。このロック状態においては、止水栓２のスピンドル２８がロックキャップ４に覆われて外部からは何ら操作できない状態となる。
【００６５】
上記止水栓２にロック状態で取付けたロックキャップ４を取り外す場合は、図８（ａ）等に示す専用の解除具５を用いる。
【００６６】
解除具５は、下方に開口するキャップ状に形成され、その天井部の中央にはロックキャップ４の嵌合突起５３と合致する形状を有する嵌合孔６７が貫通形成されている。
【００６７】
解除具５は、止水栓２に取り付けられたロックキャップ４の嵌合突起５３に嵌合孔６７が嵌め込まれた状態でのみキャップ体４３に所定位置に位置決めして被せることが可能なものであり、この状態において解除具５の周壁部の周方向において係合部材５７に対応する箇所にマグネット６８が埋設されている。
【００６８】
マグネット６８は対応する係合部材５７の外側の極と同極で、且つ、内側に位置する部分と外側に位置する部分とが異極となるよう着磁されている。図示例では、内側をＳ極、外側をＮ極としている。
【００６９】
上記解除具５により、止水栓２にロック状態で取り付けられたロックキャップ４を取り外すには、図９（ｆ）〜（ｊ）に示すように行う。以下、手順に沿って説明する。
【００７０】
まず、解除具５を止水栓２にロック状態で取り付けられたロックキャップ４のキャップ体４３に被せると共に、前述のように嵌合孔６７に嵌合突起５３を嵌め込む（図９（ｆ）→（ｇ））。このとき、マグネット６８は係合部材５７よりも若干上方にずれた位置に配置され、係合部材５７はマグネット６８による磁力によって移動せず、係合部材５７は係止部６０に係止されたままである。
【００７１】
次に、図９（ｇ）に示すように、解除具５を下方に押し込むことにより、解除具５の天井部によりキャップ体４３を第一ばね５５に抗して下方に押圧し、キャップ体４３を図８（ａ）に示す下限位置に移動する。これにより、マグネット６８はマグネット６８と同じ高さ位置に配置され、該マグネット６８の磁力がマグネット６８に働いて、マグネット６８が第二ばね６１に抗して収納体４４の内側に移動して収納穴５６に収納される。つまり、マグネット６８は、解除具５において図８（ａ）に示す状態において最も磁力を与えることができる高さ位置に設けられている。
【００７２】
上記により、マグネット６８は係止部６０に対する係止が解除され、キャップ体４３は上方に移動可能となる。次に、上記マグネット６８の下方への押し込みを止め、図９（ｈ）に示すようにマグネット６８をキャップ体４３から取り外す。こうすると、キャップ体４３は、第一ばね５５の付勢力により、マグネット６８を収納穴５６に収納したまま、図８（ｂ）に示す上限位置（アンロック位置）まで移動する。そして、これにより、キャップ体４３の両突部５１はフランジ部４０よりも上方の位置まで移動し、このときに両突部５１によるフランジ部４０の係止が解除され、ロックキャップ４は平面視左回りに回動可能な状態となる。
【００７３】
次に、上記ロックキャップ４を、各突片部４１が反対側の回動規制部４７の端面に近接する位置まで、平面視で左回りに９０度回動する（図９（ｉ））。これにより、止水栓２のフランジ部４０はその左右両端部が対応する係止溝４６から抜け出て凹部４５下方から抜き出し可能な状態となる。
【００７４】
次に、図９（ｊ）に示すように、ロックキャップ４を上方に移動させ、スピンドル挿入孔４９から止水栓２のスピンドル２８を抜き出すと共に、凹部４５からフランジ部４０を抜き出す。
【００７５】
そして、上記のようにロックキャップ４が取り外された止水栓２のスピンドル２８は操作可能な状態となり、このスピンドル２８にハンドル３１を取り付けることで、止水栓２を操作できる。
【００７６】
以上説明した止水栓装置１のロックキャップ４は、ロック状態において外部から磁力を与えることによってのみ、止水栓２から取り外し可能なアンロック状態に切り替えることができる。このためロックキャップ４は従来のドライバーを用いて取り外すことができるキャップと比較して取り外され難いものである。また、磁力を用いてロック状態からアンロック状態に切り替えるものであるため、止水栓２に係合される係合部材５７をロックキャップ４に内装することにより、ロックキャップ４の外部に、取り外しにあたってロックキャップ４を操作するための部位が露出しないようにできる。
【００７７】
また、止水栓２に取り付けられたロックキャップ４は、キャップ体４３を下方に押し込んで図８（ａ）に示す下限位置に配置したときにのみ、磁力によるロック状態からアンロック状態への切り替えが可能なものであるため、ロックキャップ４を一層取り外され難いものとすることができる。
【図面の簡単な説明】
【００７８】
【図１】本発明の実施の形態の一例を示し、ロックキャップがロック状態で取り付けられた止水栓の一部断面正面図である。
【図２】同上の止水栓装置を用いた給水設備の正面図である。
【図３】同上の閉状態にある止水栓の断面図である。
【図４】同上の開状態にある止水栓の断面図である。
【図５】同上の止水栓に上流側配管をアダプターを介して接続した状態を示し、（ａ）は樹脂パイプからなる配管を接続したときの断面図であり、（ｂ）は亜鉛メッキされた鉄パイプからなる配管を接続したときの断面図である。
【図６】同上の止水栓取り付け前のロックキャップの正面断面図である。
【図７】同上のロックキャップの側断面図である。
【図８】同上のロックキャップが取り付けられた止水栓の一部断面正面図であり、（ａ）はキャップ体を下限位置に配置したときの状態を示し、（ｂ）はキャップ体を上限位置に配置したときの状態を示す。
【図９】（ａ）〜（ｅ）はロックキャップの取付け手順を示す説明図であり、（ｆ）〜（ｊ）はロックキャップの取り外し手順を示す説明図である。
【図１０】同上の止水栓にロックキャップを取り付ける前の状態を示す斜視図である。
【図１１】従来の給水設備の正面図である。
【符号の説明】
【００７９】
１  止水栓装置
２  止水栓
４  ロックキャップ
１６ａ、１６ｂ  アダプター
３７  量水器
【図１】
2010053889.tif 000003
【図２】
2010053889.tif 000004
【図３】
2010053889.tif 000005
【図４】
2010053889.tif 000006
【図５】
2010053889.tif 000007
【図６】
2010053889.tif 000008
【図７】
2010053889.tif 000009
【図８】
2010053889.tif 000010
【図９】
2010053889.tif 000011
【図１０】
2010053889.tif 000012
【図１１】
2010053889.tif 000013